(57)【特許請求の範囲】
【請求項１】
空気調和機本体と、
この空気調和機本体に設けられ、前記空気調和機本体の運転を制御するとともに、前記空気調和機本体の操作に用いる遠隔操作装置から送信される無線信号を受信する受信部と前記空気調和機本体の操作に用いるスイッチとが設けられたオプション部品が接続可能な制御部と、
を備え、
前記制御部は、
前記受信部から信号が入力される第１端子と、
前記スイッチから信号が入力される第２端子と、
前記第１端子に前記受信部から信号が入力されるまでは前記第２端子の入力を無効とし、前記第１端子に前記受信部から信号が入力されたとき以降は前記第２端子の入力を有効にする処理部と、
を備える空気調和機。
【請求項２】
前記制御部に設けられ、前記第２端子における有効または無効の状態を示すデータを記憶する不揮発性メモリを備え、
前記処理部は、前記制御部に対する電力供給が再開されたときに、前記不揮発性メモリのデータに基づいて前記第２端子の状態を電力供給の停止前と同じ状態にする請求項１に記載の空気調和機。
【請求項３】
前記不揮発性メモリは、初期状態において前記第２端子を無効状態とするデータを記憶する請求項２に記載の空気調和機。
【請求項４】
前記制御部は、ワイヤードリモコンが接続可能な第３端子を備える請求項１から請求項３のいずれか１項に記載の空気調和機。
【請求項５】
前記処理部は、マイクロプロセッサからなり、
前記第１端子に接続される第１ポートと、
前記第２端子に接続され、出力ポートと入力ポートとに切換可能な第２ポートと、
を備え、
前記第１ポートに入力される信号が前記無線信号の受信に基づく信号であると判定したときに前記第２ポートを出力ポートから入力ポートに切り換えることで、前記第１端子に前記受信部から信号が入力されたとき以降は前記第２端子の入力を有効とする請求項１から請求項４のいずれか１項に記載の空気調和機。
【発明の詳細な説明】
【技術分野】
【０００１】
本発明に係る実施形態は、空気調和機に関する。
【背景技術】
【０００２】
従来の空気調和機は、通常、天井等の高所に取り付けられる空気調和機本体（室内機）が、壁面等に設けられたワイヤードリモコンにより操作される。また、使用者がワイヤードリモコンではなく、ワイヤレスリモコンによる操作を希望する場合に、ワイヤレスリモコンの赤外線信号を受信するための受光部を備えた受光ユニットをオプション部品として空気調和機本体に取り付ける。
【先行技術文献】
【特許文献】
【０００３】
【特許文献１】特開２００５−２６５２６４号公報
【発明の概要】
【発明が解決しようとする課題】
【０００４】
オプション部品である受光ユニットには、万が一、ワイヤレスリモコンを紛失した場合に備え、少なくとも運転／停止を行わせることができるよう運転／停止を指示するための押しボタンスイッチが設けられている。この押しボタンスイッチは、空気調和機の運転中の押圧（プッシュ）で停止を指示し、空気調和機の停止中の押圧（プッシュ）で運転を指示するようになっている。すなわち、押しボタンスイッチは、その時の空気調和機の状態を反転操作（運転から停止、停止から運転）可能となっている。【０００５】
しかしながら、オプション部品が空気調和機本体に取り付けられない場合に、オプション部品との接続のために設けられた入力端子から空気調和機本体の制御装置にノイズが入り込む場合がある。このノイズにより空気調和機本体が誤作動を起こしてしまうという課題がある。特に、押しボタンスイッチは、通常の接点スイッチであることから１ショットのパルス信号を発するだけであるため、押しボタンスイッチの入力端子にノイズが重畳した場合には、空気調和機本体の制御装置は、使用者が意図しない運転と停止を切り替えてしまうという誤動作が生じるおそれがある。【０００６】
本発明の実施形態はこのような事情を考慮してなされたもので、オプション部品が空気調和機本体に取り付けられない場合でも、ノイズにより誤動作が生じることを防止することができる空気調和機を提供することを目的とする。
【課題を解決するための手段】
【０００７】
本発明の実施形態に係る空気調和機は、空気調和機本体と、この空気調和機本体に設けられ、前記空気調和機本体の運転を制御するとともに、前記空気調和機本体の操作に用いる遠隔操作装置から送信される無線信号を受信する受信部と前記空気調和機本体の操作に用いるスイッチとが設けられたオプション部品が接続可能な制御部と、を備え、前記制御部は、前記受信部から信号が入力される第１端子と、前記スイッチから信号が入力される第２端子と、前記第１端子に前記受信部から信号が入力されるまでは前記第２端子の入力を無効とし、前記第１端子に前記受信部から信号が入力されたとき以降は前記第２端子の入力を有効にする処理部と、を備える。【０００８】
また、本発明の実施形態に係る空気調和機は、前記制御部に設けられ、前記第２端子における有効または無効の状態を示すデータを記憶する不揮発性メモリを備え、前記処理部は、前記制御部に対する電力供給が再開されたときに、前記不揮発性メモリのデータに基づいて前記第２端子の状態を電力供給の停止前と同じ状態にする。【０００９】
また、本発明の実施形態に係る空気調和機において、前記不揮発性メモリは、初期状態において前記第２端子を無効状態とするデータを記憶する。【００１０】
また、本発明の実施形態に係る空気調和機において、前記制御部は、ワイヤードリモコンが接続可能な第３端子を備える。【００１１】
また、本発明の実施形態に係る空気調和機において、前記処理部は、マイクロプロセッサからなり、前記第１端子に接続される第１ポートと、前記第２端子に接続され、出力ポートと入力ポートとに切換可能な第２ポートと、を備え、前記第１ポートに入力される信号が前記無線信号の受信に基づく信号であると判定したときに前記第２ポートを出力ポートから入力ポートに切り換えることで、前記第１端子に前記受信部から信号が入力されたとき以降は前記第２端子の入力を有効とする。
【図面の簡単な説明】
【００１２】
【図１】空気調和機を示す構成図。
【図２】接続前の制御基板とオプション基板を示す回路図。
【図３】接続後の制御基板とオプション基板を示す回路図。
【図４】運転処理を示すフローチャート。
【図５】運転処理を示すフローチャート。
【発明を実施するための形態】
【００１３】
以下、本実施形態を添付図面に基づいて説明する。まず、本実施形態の空気調和機について図１から図５を用いて説明する。図１の符号１は、屋内の空気の温度を調節する空気調和機である。この空気調和機１は、屋内の天井Ｔに設けられる室内ユニット（室内機）である空気調和機本体２と、この空気調和機本体２の筐体の下面に着脱可能に取り付けられる化粧パネル３と、を備える。なお、本実施形態では、天井埋込型の空気調和機本体２を例示している。また、空気調和機本体２が天井吊下型や屋内の高所に取り付けられる壁掛け型、床に設置される床置き型等、どのような形態でも良い。
【００１４】
図１に示すように、空気調和機本体２は、その筐体の内部に配置される熱交換器４と送風機５とを備える。なお、室内ユニットとしての空気調和機本体２と、屋外に設けられる室外ユニットとが、冷媒を循環させる接続パイプを介して接続されている。この空気調和機本体２と室外ユニットとの間で冷媒を循環させることで冷凍サイクルが構成される。
【００１５】
この空気調和機本体２は、無線信号を送信する遠隔操作装置として、赤外線信号Ｒを送信するワイヤレスリモコン（遠隔操作装置）６と、屋内の壁面に設けられるワイヤードリモコン７との少なくともいずれか一方を用いて遠隔操作される。なお、ワイヤードリモコン７は、空気調和機本体２に有線接続され、空気調和機本体２の近くの壁面等に取りつけられる。
【００１６】
また、空気調和機１の標準品としてワイヤードリモコンが用いられるが、顧客の要望に応じて、空気調和機本体２は、ワイヤレスリモコン６も接続可能となっている。なお、ワイヤレスリモコン６とワイヤードリモコン７を併存させることも可能であるが、ワイヤードリモコン７での操作内容をワイヤレスリモコン６の表示部に表示することができないため、不便である。このため、いずれか一方のみとすることが一般的である。
【００１７】
また、空気調和機本体２には、熱交換器４と送風機５の運転を制御する制御基板８（制御部）が設けられる。この制御基板８は、ワイヤレスリモコン６に基づく操作、またはワイヤードリモコン７に基づく操作のいずれにも対応できるように、共用化された基板となっている。
【００１８】
顧客がワイヤレスリモコン６に基づく操作を希望する場合は、空気調和機本体２にオプション部品９が取り付けられる。このオプション部品９には、ワイヤレスリモコン６から送信される赤外線信号Ｒを受信するためのオプション基板１０が設けられる。本実施形態のオプション部品９は、化粧パネル３と一体的に設けられる。そして、この化粧パネル３を介してオプション部品９が空気調和機本体２に着脱自在に取り付けられる。
【００１９】
なお、化粧パネル３には、オプション部品９が設けられたものと、オプション部品９が設けられていない標準品との２種類のパネルが準備されている。顧客がワイヤレスリモコン６に基づく操作を希望しない場合は、オプション部品９が設けられていない標準品の化粧パネル３が、空気調和機本体２に取り付けられる。つまり、空気調和機本体２は、変更することなく、１種類とすることで製造を容易にしている。そして、顧客の希望に応じた化粧パネル３が選択的に空気調和機本体２に取り付けられる。
【００２０】
顧客がワイヤードリモコン７による操作を希望する場合は、空気調和機本体２の設置時にワイヤードリモコン７が設置される。なお、図１に示す実施形態では、理解しやすくするためにオプション部品９（第１部品）およびワイヤードリモコン７（第２部品）の両方が設けられた空気調和機１を例示している。つまり、本実施形態では、ワイヤレスリモコン６による操作、およびワイヤードリモコン７による操作の両方を行うことができる。
【００２１】
図２に示すように、オプション基板１０には、ワイヤードリモコン７から送信される無線信号である赤外線信号Ｒ（赤外線光）を受信するフォトダイオード等の回路部品からなる受信部１１（受光部）と、押しボタンスイッチ１２とが設けられる。なお、押しボタンスイッチ１２は、ワイヤレスリモコン６の紛失時などに、空気調和機本体２を手動で操作するために設けられる。この押しボタンスイッチ１２は、オプション部品９において受信部１１の近傍に配置される。受信部１１は、赤外線信号Ｒを受信したときに、この信号を電気信号に変換して出力する。
【００２２】
なお、空気調和機本体２の運転中に押しボタンスイッチ１２を操作すると運転が停止される。また、空気調和機本体２の停止中に押しボタンスイッチ１２を操作すると運転が開始される。つまり、押しボタンスイッチ１２を用いて空気調和機本体２（熱交換器４および送風機５）のＯＮ／ＯＦＦの操作を行うことができる。
【００２３】
また、空気調和機本体２に内蔵される制御基板８には、空気調和機本体２の運転に関する制御処理を実行するマイクロプロセッサ１３（処理部）と、各種のプログラム、データ、フラグなどが記憶される不揮発性メモリ１４等が搭載され、基板上に設けられた配線パターンにより接続されている。不揮発性メモリ１４は、このような配線パターンによってマイクロプロセッサ１３と電気的に接続されている。
【００２４】
なお、不揮発性メモリ１４は、データの書き込み、および読み出しが可能なメモリで、電源の供給が途絶えても記憶内容を保持できるＥＥＰＲＯＭまたはフラッシュＲＯＭなどで構成される。また、マイクロプロセッサ１３は、不揮発性メモリ１４に必要に応じて情報を書き込み、記憶された情報を読み出し、読み出したデータに基づき各種処理を実行する。さらに、マイクロプロセッサ１３は、コンピュータシステムを１つの集積回路に組み込んだマイクロコントローラであり、内部のＲＯＭに書き込まれたプログラム（ソフトウェア）によって動作する。また、マイクロプロセッサ１３は、各デバイスに接続されて信号の入出力が行われる多数のポートを備える。
【００２５】
図３に示すように、制御基板８とオプション基板１０とがリード線１５を介して接続される。この接続には、複数本のリード線１５が１つに束ねられたフラットケーブルが用いられる。また、制御基板８およびオプション基板１０には、フラットケーブルの両端部に設けられたコネクタが、それぞれ接続されるソケット１６，１７が設けられている。なお、オプション基板１０側のコネクタとソケットを省略し、オプション基板１０にリード線１５を直接半田付けし、その先端に設けられたコネクタを制御基板８のソケットに差し込み接続するようにしても良い。
【００２６】
オプション基板１０のソケット１６には、受信部１１と接続される受信出力端子１８と、押しボタンスイッチ１２と接続されるスイッチ出力端子１９と、が設けられる。さらに、制御基板８のソケット１７には、一方のリード線１５を介して受信出力端子１８と接続される第１端子２１と、他方のリード線１５を介してスイッチ出力端子１９と接続される第２端子２２と、が設けられる。
【００２７】
さらに、制御基板８のソケット１７には、第１端子２１と第２端子２２以外に２つの端子があり、こちらもオプション基板１０のソケット１６と接続される。その内１つ目は、直流電源端子Ｖｃｃであり、制御基板８側で作った所定の電圧、例えば５Ｖの直流電圧をオプション基板１０側に供給する。他方は、制御基板８の接地（グランド）をオプション基板１０の接地と合わせるためのアース端子Ｇとなっている。
【００２８】
本実施形態では、受信部１１が赤外線信号Ｒを受信したときに、この受信部１１から出力される信号が受信出力端子１８を介して第１端子２１に入力される。また、押しボタンスイッチ１２が操作されたときに、この押しボタンスイッチ１２から出力される短パルスの信号がスイッチ出力端子１９を介して第２端子２２に入力される。
【００２９】
また、制御基板８上において、第１端子２１が配線パターンによってマイクロプロセッサ１３の第１ポート３１に接続され、第２端子２２が同様にマイクロプロセッサ１３の第２ポート３２に接続される。さらに、ワイヤードリモコン７から出力される信号を伝達するライン２０が第３端子３０を介してマイクロプロセッサ１３の第３ポート３３に接続される。つまり、制御基板８は、ワイヤードリモコン７から延びるライン２０が接続可能な第３端子３０を備える。また、マイクロプロセッサ１３には、空気調和機本体２内の各種電気部品を駆動するための信号を出力し、センサの検出データを入力し、さらには室外ユニットと通信を行うため等の多数のポートが設けられているが、他のポートについての詳細な説明は省略する。
【００３０】
なお、オプション基板１０上の受信部１１と受信出力端子１８との間のライン２３は、プルダウン抵抗２４を介して接地されている。また、押しボタンスイッチ１２とスイッチ出力端子１９との間のライン２５は、オプション基板１０上でプルダウン抵抗２６を介して接地されている。制御基板８上で第１端子２１とマイクロプロセッサ１３との間の配線パターンからなるライン２７は、プルダウン抵抗２８を介して接地されている。なお、制御基板８上の第２端子２２とマイクロプロセッサ１３との間の配線パターンからなるライン２９は、接地されていない。
【００３１】
図２に示すように、オプション基板１０が制御基板８に接続されていない場合、つまり、オプション部品９が空気調和機本体２に取り付けられていない場合に、第１端子２１および第２端子２２が、どこにも接続されていない状態となる。ここで、第１端子２１または第２端子２２を介してマイクロプロセッサ１３の第１ポート３１または第２ポート３２に外部からのノイズが入り込む場合がある。
【００３２】
しかしながら、マイクロプロセッサ１３は、第１ポート３１から入力される信号が受信部１１から出力されたものであるか否かを示す受信コード形式（通信フォーマット）をチェックするので、この第１ポート３１にノイズが入り込んでも誤動作（誤判定）が生じない。
【００３３】
一方、第２ポート３２に入力される信号は、押しボタンスイッチ１２による単発のパルス信号であって、入力または非入力のみを示す単純な信号である。そのため、マイクロプロセッサ１３は、第２ポート３２に入力される信号がノイズであっても、一定の電圧値を超えていれば、信号が入力、すなわちスイッチが押圧されたと判定してしまい、誤動作が生じるおそれがある。
【００３４】
そこで、本実施形態では、オプション基板１０が制御基板８に接続されていない場合には、第２端子２２を無効状態となるようにしている。そして、オプション基板１０が制御基板８に接続された場合に、所定の条件に基づいてこれを検出し、第２端子２２を有効状態に切り換えるようにしている。なお、無効状態とは、信号が入力されても、この信号に基づく処理が何等行われない状態を示す。また、有効状態とは、信号が入力されたときに、この信号を読み込み、その信号に基づいた処理を制御基板８上のマイクロプロセッサ１３が実行する状態を示す。
【００３５】
本実施形態のマイクロプロセッサ１３では、第１ポート３１が入力ポートとして構成され、第２ポート３２が出力ポートと入力ポートとに切換可能に構成される。マイクロプロセッサ１３は、第２ポート３２を出力ポートとし、０Ｖの電圧の出力、すなわちＬｏｗ出力を設定する。このようにすることで、第２端子２２は無効状態、すなわち、入力信号を受け付けない状態となる。一方、マイクロプロセッサ１３が、第２ポート３２を入力ポートに設定すれば、第２端子２２は有効状態となる。
【００３６】
そして、マイクロプロセッサ１３は、第１端子２１を介して第１ポート３１に信号が入力され、この信号が赤外線信号Ｒの受信に基づく信号であると判定した時に、第２ポート３２を入力ポートに切り換える処理を実行する。この第２ポート３２が入力ポートとなることで、第２端子２２が有効状態に切り換わる。なお、有効状態となった第２ポート３２は、５Ｖ（Ｈｉ）以上の電圧の信号または０Ｖ（Ｌｏｗ）の電圧信号が入力されると、この信号を読み取り、その入力に基づいた処理が実行される。
【００３７】
さらに、不揮発性メモリ１４は、第２ポート３２の有効状態または無効状態、つまり、第２端子２２の状態を示すデータ（フラグ）が記憶される。初期状態であるオプション部品９が設けられた化粧パネル３の最初の接続時である、オプション部品９が設けられた化粧パネル３の設置時には、この不揮発性メモリ１４にデフォルトとして第２ポート３２は無効状態であることが記憶されている。その後、第１ポート３１に赤外線信号Ｒが入力されると、第２ポート３２が有効状態に切り換わり、その状態を示すデータが不揮発性メモリ１４に記憶される。
【００３８】
そして、マイクロプロセッサ１３は、電源投入時に、不揮発性メモリ１４に記憶されたデータを読み出し、その結果に基づいて、第２ポート３２の状態を、無効状態または有効状態のいずれかに設定する。すなわち、マイクロプロセッサ１３は、不揮発性メモリ１４の記憶データが無効状態を示していれば、第２ポート３２を、無効状態である出力ポートに設定し、不揮発性メモリ１４の記憶データが有効状態を示していれば、第２ポート３２を、有効状態である入力ポートに設定する。
【００３９】
なお、制御基板８（空気調和機本体２）に対する電力供給が停止されても、不揮発性メモリ１４には、電力供給の停止前の第２ポート３２の状態が記憶されるので、制御基板８に対する電力供給が再開されたときに、第２端子２２の状態を電力供給の停止前と同じ状態にすることができる。
【００４０】
上記構成により、空気調和機本体２が製造工場から出荷される時点（初期状態）において、不揮発性メモリ１４には、第２ポート３２を出力ポートとするデータ、つまり、第２端子２２を無効状態とするデータが記憶されている。そのため、空気調和機本体２の設置時には、第２端子２２が無効状態となっている。仮に、ワイヤードリモコン７のみが設けられ、オプション部品９が設けられない化粧パネル３を取り付けた場合には、第２端子２２の無効状態が維持されるので、ノイズにより誤作動が生じることを防止することができる。
【００４１】
一方、空気調和機本体２にオプション部品９を備えた化粧パネル３を取り付けた場合には、ワイヤレスリモコン６を操作することで、ワイヤレスリモコン６から送信された赤外線信号Ｒが受信部１１で受信され、この信号が第１端子２１に入力されたことに基づいて、第２端子２２が無効状態から有効状態に切り換えられる。つまり、空気調和機本体２の設置時に、最初にワイヤレスリモコン６を用いた操作を行うことで、自動的に第２端子２２が無効状態から有効状態に切り換る。そのため、第２端子２２の状態を切り換えるための煩わしい手間が必要なくなり、空気調和機本体２を設置する作業者の手間を軽減することができる。
【００４２】
また、第２端子２２の状態を示すデータが不揮発性メモリ１４に記憶されるので、一旦、第２端子２２を有効状態にすれば、電力供給が停止されても、電力供給の再開時に第２端子２２が有効状態になるので、再設定の手間がかからずに済むようになる。
【００４３】
なお、空気調和機本体２の設置後に、ワイヤレスリモコン６による操作を行うことがなくなった場合、例えば、オプション部品９を空気調和機本体２から取り外した場合に、第２端子２２を有効状態から無効状態に戻すことができる。
【００４４】
第２端子２２を無効状態に戻す場合には、ワイヤードリモコン７（切換装置）を用いて操作を行う。本実施形態では、ワイヤードリモコン７のモードをサービスモードにすることで操作を行う。そして、ワイヤードリモコン７を用いて、不揮発性メモリ１４に記憶された第２端子２２の状態を示すデータを初期値に書き換えることで、第２端子２２を無効状態に戻す。
【００４５】
本実施形態の空気調和機１の制御基板８は、マイクロプロセッサ１３、不揮発性メモリ、および揮発性メモリ（図示略）などのハードウェア資源を有し、マイクロプロセッサ１３が各種プログラムを実行することで、ソフトウェアによる情報処理がハードウェア資源を用いて実現される。
【００４６】
次に、マイクロプロセッサ１３が実行する空気調和機１の運転処理について図４および図５フローチャートを用いて説明する。なお、フローチャートの各ステップの説明にて、例えば「ステップＳ１１」と記載する箇所を「Ｓ１１」と略記する。
【００４７】
図４に示すように、制御基板８の起動時において、マイクロプロセッサ１３は、まず、不揮発性メモリ１４に記憶された第２端子２２の状態を示すデータを読み出し、第２端子２２が有効状態に設定されているか否かを判定する（Ｓ１１）。
【００４８】
ここで、第２端子２２が有効状態である場合（Ｓ１１がＹＥＳ）は、第２ポート３２を入力ポートに設定し（Ｓ１２）、Ｓ１４に進む。一方、第２端子２２が有効状態でない場合、すなわち無効状態である場合（Ｓ１１がＮＯ）は、第２ポート３２を出力ポートに設定し（Ｓ１３）、Ｓ１４に進む。
【００４９】
Ｓ１４にてマイクロプロセッサ１３は、受信部１１における赤外線の受光の有無を確認する。つまり、第１ポート３１（第１端子２１）における信号の入力を確認する。次に、マイクロプロセッサ１３は、受信部１１が赤外線を受光したか否か、つまり、第１ポート３１に信号が入力された否かを判定する（Ｓ１５）。ここで、受信部１１が赤外線を受光していない場合（Ｓ１５がＮＯ）は、後述のＳ２１に進む。一方、受信部１１が赤外線を受光した場合（Ｓ１５がＹＥＳ）は、Ｓ１６に進む。
【００５０】
Ｓ１６にてマイクロプロセッサ１３は、受信部１１が、ワイヤレスリモコン６から送信された赤外線信号Ｒを受信したことに基づく信号、つまり、第１ポート３１に入力された信号の受信コード形式が正しいか否かを判定する。ここで、受信コード形式が正しくない場合（Ｓ１６がＮＯ）、例えば信号にノイズが混入した場合では、入力信号は無視され、後述のＳ２１に進む。一方、受信コード形式が正しい場合（Ｓ１６がＹＥＳ）は、Ｓ１７に進む。
【００５１】
Ｓ１７にてマイクロプロセッサ１３は、不揮発性メモリ１４に記憶された第２端子２２の状態を示すデータを読み出し、第２端子２２が無効状態であるか否かを判定する。ここで、第２端子２２が有効状態である場合（Ｓ１７がＮＯ）は、Ｓ２０に進む。一方、第２端子２２が無効状態である場合（Ｓ１７がＹＥＳ）は、不揮発性メモリ１４に記憶されたデータを、第２端子２２を有効状態とするデータに書き換える（Ｓ１８）。次に、マイクロプロセッサ１３は、第２ポート３２を入力ポートに設定し（Ｓ１９）、Ｓ２０に進む。
【００５２】
Ｓ２０にてマイクロプロセッサ１３は、第１ポート３１に入力された信号の受信コードに基づく運転切換処理を実行する。なお、この運転切換処理によって空気調和機本体２のＯＮ／ＯＦＦ制御、送風機５の風量変更、または空調設定温度の変更などが実行される。なお、本実施形態では、空気調和機本体２がＯＦＦ（運転停止）状態になっても、制御基板８に対する電力供給は維持されている。そして、Ｓ２１に進む。
【００５３】
図５に示すように、Ｓ２１にてマイクロプロセッサ１３は、不揮発性メモリ１４に記憶された第２端子２２の状態を示すデータを読み出し、第２端子２２が有効状態であるか否かを判定する。ここで、第２端子２２が無効状態である場合（Ｓ２１がＮＯ）は、前述のＳ１４に戻り、以降の処理がループされる。一方、第２端子２２が有効状態である場合（Ｓ２１がＹＥＳ）は、Ｓ２２に進む。
【００５４】
Ｓ２２にてマイクロプロセッサ１３は、押しボタンスイッチ１２の操作に基づく入力、つまり、第２ポート３２（第２端子２２）に信号が入力されたか否かを判定する。ここで、第２ポート３２に信号が入力されていない場合（Ｓ２２がＮＯ）は、前述のＳ１４に戻り、以降の処理がループされる。一方、第２ポート３２に信号が入力された場合（Ｓ２２がＹＥＳ）は、ワイヤレスリモコン６を紛失した場合の緊急処置操作であるとして、運転ＯＮ／ＯＦＦ切換処理を実行する。この運転ＯＮ／ＯＦＦ切換処理によって空気調和機本体２のＯＮ／ＯＦＦ制御が実行される。そして、前述のＳ１４に戻り、以降の処理がループされる。
【００５５】
ここで、運転ＯＮ／ＯＦＦ切換処理とは、前述のように空気調和機本体２が運転中である場合には、その運転を停止（ＯＦＦ）させ、逆に空気調和機本体２が停止中である場合には、運転を開始（ＯＮ）させる処理である。なお、運転を開始させる場合の送風機５の風量や設定温度、冷暖房などの運転モード等の各種設定は、前回の運転時の設定と同じにしても良いし、全ての設定を空気調和機本体２が自動的に設定する自動運転モードとしても良い。但し、押しボタンスイッチ１２の操作による緊急運転時の各種設定を前回の運転時の設定と同じにする場合には、前回の運転での各種設定内容を不揮発性メモリ１４に記憶させておく必要がある。
【００５６】
なお、本実施形態のフローチャートにおいて、各ステップが直列に実行される形態を例示しているが、必ずしも各ステップの前後関係が固定されるものでなく、一部のステップの前後関係が入れ替わっても良い。また、一部のステップが他のステップと並列に実行されても良い。
【００５７】
以上説明した実施形態によれば、空気調和機は、オプション部品が取り付けられない場合に、無効状態である第２端子を、オプション部品が取り付けられ、第１端子に受信部から信号が入力されたときに、有効状態に切り換える処理を実行するマイクロプロセッサ（処理部）を備える。このようにすれば、オプション部品が空気調和機本体に取り付けられない場合に、第２端子が無効状態であるので、ノイズにより誤作動が生じることを防止することができる空気調和機が提供される。また、オプション部品が空気調和機本体に取り付けられた後に、ワイヤレスリモコンの操作により第２端子を有効状態にすることができるので、空気調和機を設置する作業者の手間を軽減することができる。
【００５８】
また、マイクロプロセッサは、制御基板に対する電力供給が再開されたときに、不揮発性メモリのデータに基づいて第２端子の状態を電力供給の停止前と同じ状態にする処理を実行することで、オプション部品を空気調和機本体に取り付けてワイヤレスリモコンにより第２端子を有効状態にした場合に、その後に空気調和機本体に対する電力供給が停止されても、第２端子の有効状態を維持することができる。
【００５９】
また、不揮発性メモリは、初期状態において第２端子を無効状態とするデータを記憶することで、第２端子の初期状態が無効状態となり、オプション部品が空気調和機本体に取り付けられない場合に、ノイズが第２端子に入り込んでも誤作動が生じることがなくなる。
【００６０】
また、ワイヤレスリモコン以外の操作によって第２端子を少なくとも有効状態から無効状態に切り換えることで、オプション部品を空気調和機本体から取り外した場合に、第２端子を有効状態から無効状態に戻すことができる。
【００６１】
なお、第２端子を少なくとも有効状態から無効状態に切り換える装置が、空気調和機本体の操作に用いるワイヤードリモコンである。このようにすれば、空気調和機本体の操作に用いるワイヤードリモコンを第２端子の状態を切り換える装置として兼用することができる。
【００６２】
また、マイクロプロセッサは、第１端子に接続される入力ポートとしての第１ポートと、第２端子に接続され、出力ポートと入力ポートとに切換可能な第２ポートと、を備え、出力ポートである第２ポートを第１ポートに入力される信号が赤外線信号の受信に基づく信号であると判定したときに入力ポートに切り換える処理を実行する。このようにすれば、第２ポートを出力ポートとすることで第２端子を無効状態とし、ノイズが第２端子に入り込んでも誤作動が生じることがなくなる。また、第２ポートを出力ポートから入力ポートとすることで第２端子を無効状態から有効状態とすることができる。さらに、第１ポートにノイズが入り込んでも赤外線信号の受信に基づく信号であるか否かが判定されるので、誤作動を防止することができる。
【００６３】
また、本実施形態では、遠隔操作装置として、赤外線信号を送信するワイヤレスリモコン６を例示しているが、これを他の無線通信を用いるコントローラに置き換えることも可能である。例えば、短距離無線通信技術、または無線ＬＡＮネットワーク技術を用いたコントローラを遠隔操作装置としても良い。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００６５】
１…空気調和機、２…空気調和機本体、３…化粧パネル、４…熱交換器、５…送風機、６…ワイヤレスリモコン（遠隔操作装置）、７…ワイヤードリモコン、８…制御基板(制御部)、９…オプション部品、１０…オプション基板、１１…受信部、１２…押しボタンスイッチ、１３…マイクロプロセッサ（処理部）、１４…不揮発性メモリ、１５…リード線、１６，１７…ソケット、１８…受信出力端子、１９…スイッチ出力端子、２０…ライン、２１…第１端子、２２…第２端子、２３…ライン、２４…プルダウン抵抗、２５…ライン、２６…プルダウン抵抗、２７…ライン、２８…プルダウン抵抗、２９…ライン、３０…第３端子、３１…第１ポート、３２…第２ポート、３３…第３ポート、Ｒ…赤外線信号、Ｔ…天井。
【図１】
0006745916.tif 000002
【図２】
0006745916.tif 000003
【図３】
0006745916.tif 000004
【図４】
0006745916.tif 000005
【図５】
0006745916.tif 000006